(57)【特許請求の範囲】
【請求項１】
少なくともプロセッサとメモリとを有するデータ処理装置によって各ステップが実行される方法であって、
ユーザ機器の第一基地局の変更に応じて、該ユーザ機器によって作成された一つ以上の第二基地局の一つ以上のセルの測定情報を記憶させるステップであって、該ユーザ機器は、該第一基地局の少なくとも一つのセルと、少なくとも一つの第二基地局の少なくとも一つのセルと、に同時に接続されている、ステップと、
該記憶された測定情報を、該ユーザ機器によって、第三基地局に、最初の物理アップリンク共有チャネル伝送機会に、提供させるステップと、
を具備する方法。
【請求項２】
該第一基地局はマスタ基地局を具備し、該一つ以上の第二基地局は一つ以上のセカンダリ基地局を具備し、該第三基地局は新規マスタ基地局を具備する、請求項１に記載の方法。
【請求項３】
該第一基地局の変更を示す情報を受信するステップを具備する、請求項１又は請求項２に記載の方法。
【請求項４】
該第一基地局の変更を示す該情報は、無線リソース制御再設定メッセージを具備する、請求項３に記載の方法。
【請求項５】
該一つ以上の第二基地局の一つ以上のセルの記憶されるべき測定情報について示す情報を受信するステップを具備する、請求項３又は請求項４に記載の方法。
【請求項６】
該一つ以上の第二基地局の一つ以上のセルの記憶されるべき測定情報について示す該情報は、ハンドオーバ指令において受信される、請求項３から請求項５までのいずれか一項に記載の方法。
【請求項７】
該測定情報は、基準信号受信電力、基準信号受信品質、及びチャネル品質情報のうちの一つ以上を具備する、請求項１から請求項６までのいずれか一項に記載の方法。
【請求項８】
該記憶された測定情報を、無線リソース制御メッセージ、接続再設定完了メッセージ、及び無線リソース制御接続再設定完了メッセージのうちの一つにおいて、該第三基地局に提供させるステップを具備する、請求項１から請求項７までのいずれか一項に記載の方法。
【請求項９】
少なくともプロセッサとメモリとを有するデータ処理装置によって各ステップが実行される方法であって、
メッセージを第三基地局から第一基地局へ伝送させ、ユーザ機器を該第一基地局から該第三基地局へハンドオーバさせるステップであって、該メッセージは、該ユーザ機器によって作成された一つ以上の第二基地局の一つ以上のセルの測定情報を記憶することを該ユーザ機器に対して引き起こす情報を具備し、該ユーザ機器は、該第一基地局の少なくとも一つのセルと、少なくとも一つの第二基地局の少なくとも一つのセルと、に同時に接続されている、ステップ、を具備する方法。
【請求項１０】
作動する際に、請求項１から請求項９までのいずれか一項に記載の方法を実行させるコンピュータ実行可能命令、を具備するコンピュータプログラム。
【請求項１１】
ユーザ機器における装置であって、該装置は、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、ユーザ機器の第一基地局の変更に応じて、該ユーザ機器によって作成された一つ以上の第二基地局の一つ以上のセルの測定情報を少なくとも記憶することを該装置に対して引き起こし、該ユーザ機器は、該第一基地局の少なくとも一つのセルと、少なくとも一つの第二基地局の少なくとも一つのセルと、に同時に接続され、該記憶された測定情報を、該ユーザ機器によって、第三基地局に、最初の物理アップリンク共有チャネル伝送機会に、提供させるように構成されている、装置。
【請求項１２】
該少なくとも一つのメモリ及び該コンピュータコードは、該少なくとも一つのプロセッサとともに、該第一基地局の変更を示す情報を受信するように構成されている、請求項１１に記載の装置。
【請求項１３】
該第一基地局の変更を示す該情報は、無線リソース制御再設定メッセージを具備する、請求項１２に記載の装置。
【請求項１４】
該少なくとも一つのメモリ及び該コンピュータコードは、該少なくとも一つのプロセッサとともに、該一つ以上の第二基地局の一つ以上のセルの記憶されるべき測定情報について示す情報を受信するように構成されている、請求項１１から請求項１３までのいずれか一項に記載の装置。
【請求項１５】
該少なくとも一つのメモリ及び該コンピュータコードは、該少なくとも一つのプロセッサとともに、該記憶された測定情報を、接続再設定完了メッセージにおいて、該第三基地局に対して提供させる、ように構成されている、請求項１１から請求項１３までのいずれか一項に記載の装置。
【発明の詳細な説明】
【技術分野】
【０００１】
いくつかの実施形態は、方法及び装置に関し、特に、限定するものではないがユーザデバイス又は機器が二つ以上のノード又は基地局と通信するシナリオで用いるための方法及び装置に関する。
【背景技術】
【０００２】
通信システムは、固定又は携帯通信デバイス、ノードのようなアクセスポイント、基地局、サーバ、ホスト、マシンタイプサーバ（machine type server）、ルータ等の二つ以上のノード間における通信セッションを可能にする機構として確認され得る。通信システム及び互換通信デバイスは、概して、システムに関連する様々な実体にどのような動きを許可するか、及びそれをどのように達成するかを設定する所与の標準又は仕様に従って動作する。例えば、標準、仕様、及び関連プロトコルは、通信デバイスがどのようにアクセスポイントと通信するものとするか、様々な通信の態様をどのように実施するものとするか、及びデバイスとその機能性とをどのように構成するものとするかについての方法を規定することが可能である。
【０００３】
本明細書において、伝送すること、報知すること、信号伝達すること、送信すること、及び／又は受信することは、データの伝送、報知、送信、及び／又は受信を準備することや、伝送される、報知される、信号伝達される、送信される、及び／又は受信されるメッセージを準備することや、又はそれ自体を物理的に送信及び／又は受信すること等を、その場の状況に応じて意味し得ることを理解されたい。同様の原理が、送受信という用語に同様に適用できる。
【０００４】
ユーザは、適切な通信デバイスによって通信システムとアクセス可能である。ユーザの通信デバイスを、しばしばユーザ機器（ＵＥ）、ユーザデバイス又は端末と称する。
【０００５】
信号は、有線又は無線のキャリアで搬送されることが可能である。無線システムの例としては、公衆地上移動ネットワーク（ＰＬＭＮ）、衛星通信システム、及び例えば無線ローカルエリアネットワーク（ＷＬＡＮ）である種々の無線ローカルネットワークを含む。無線システムは、セルと呼ばれるカバレッジエリアに分割可能であり、そうしたシステムはしばしばセルラシステムと呼ばれる。セルは、基地局によって提供可能であり、様々な異なるタイプの基地局がある。異なる種類のセルは、異なる特徴を提供し得る。例えば、セルは、異なる形状、サイズ、機能性及び他の特徴を有することが可能である。セルは、概して制御ノードによって制御される。
【０００６】
通信デバイスは、相手方との通信を可能とするための適切な信号送受信設備が設けられている。無線システムにおいて、通信デバイスは概して例えば基地局及び／又は他のユーザ機器であるような、他の通信デバイスと通信することが可能であるトランシーバステーションを提供する。例えばユーザ機器（ＵＥ）である通信デバイスは、基地局によって提供されるキャリアにアクセスでき、キャリア上で送信及び／又は受信できる。
【０００７】
セルラ通信システムの例としては、第三世代パートナーシッププロジェクト（３ＧＰＰ）によって標準化されているアーキテクチャがある。この分野における近年の開発は、しばしば、ユニバーサル移動体通信システム（ＵＭＴＳ）無線アクセス技術のlong-term evolution（ＬＴＥ）又はlong-term evolution advanced（ＬＴＥ-advanced）と呼ばれる。ＬＴＥにおいてセルを提供する基地局は、概してenhanced ＮｏｄｅＢ（ｅＮＢ）と呼ばれる。ｅＮＢは、セル全体に対するカバレッジ又は同様の無線サービスエリアを提供することが可能である。
【０００８】
セルは異なるサービスエリアを提供することが可能である。例えば、いくつかの他のセルが、小さいカバレッジエリアを提供する一方で、いくつかのセルは広いカバレッジエリアを提供してよい。小さい無線カバレッジエリアは、大きい無線カバレッジエリアの範囲内に全体的に又は部分的に位置することが可能である。例えば、ＬＴＥにおいて、相対的に広いカバレッジエリアを提供するノードは、マクロｅＮｏｄｅＢと呼ばれる。小さいセル又はローカル無線サービスエリアを提供するノードの例としては、例えばホームｅＮＢ（ＨｅＮＢ）であるフェムトノード、例えばピコｅＮｏｄｅＢ（pico-ｅＮＢ）であるピコノード及びリモート無線ヘッド（remote radio head）を含む。
【０００９】
デバイスは、一つ以上のセルと通信してよい。一つ以上のセルとの通信は、例えば、性能の増加を提供し得る。ユーザデバイスがマスタｅＮＢ（ＭｅＮＢ）及びセカンダリｅＮＢ（ＳｅＮＢ）の双方と通信するように構成される、デュアルコネクティビティが提供され得る。
【発明の概要】
【００１０】
一態様によれば、ユーザ機器の第一基地局の変更に応じて、該ユーザ機器によって作成された一つ以上の第二基地局の一つ以上のセルの測定情報を記憶させることと、該記憶された測定情報を第三基地局に提供させることと、を含む方法が提供される。
【００１１】
該ユーザ機器は、第一基地局の変更の前に、該第一基地局の少なくとも一つのセルと、少なくとも一つの第二基地局の少なくとも一つのセルと、に接続され得る。
【００１２】
該ユーザ機器は、デュアルコネクティビティモードであってよい。
【００１３】
該第一基地局は、マスタ基地局を備え得る。
【００１４】
該一つ以上の第二基地局は、一つ以上のセカンダリ基地局を備え得る。
【００１５】
該第三基地局は、新規マスタ基地局を備え得る。
【００１６】
該第一基地局はマスタ基地局を備え、該一つ以上の第二基地局は一つ以上のセカンダリ基地局を備え、該第三基地局は新規マスタ基地局を備え得る。
【００１７】
該方法は、該第一基地局の変更を示す情報を受信することを含み得る。
【００１８】
該第一基地局の変更を示す該情報は、無線リソース制御再設定メッセージを備え得る。
【００１９】
該方法は、該一つ以上の第二基地局の一つ以上のセルの記憶されるべき測定情報について示す情報を受信することを含み得る。
【００２０】
該一つ以上の第二基地局の一つ以上のセルの記憶されるべき測定情報について示す該情報は、ハンドオーバ指令に受信される。
【００２１】
該測定情報は、基準信号受信電力、基準信号受信品質、及びチャネル品質情報のうちの一つ又は複数を備え得る。
【００２２】
該方法は、該記憶された測定情報を、無線リソース制御メッセージ、接続再設定完了メッセージ、及び無線リソース制御接続再設定完了メッセージのうちの一つにおいて、該第三基地局に提供させることを含み得る。
【００２３】
該方法は、ユーザ機器における装置によって実行されてよい。
【００２４】
別の態様によれば、ユーザ機器に関するハンドオーバ要求を、変更する第一基地局から第三基地局へ送らせることであって、該ハンドオーバ要求は、該ユーザ機器がデュアルコネクティビティモードで動作していることを示す情報を備えることを含む方法、が提供される。
【００２５】
該方法は、第一基地局の装置において実行されてよい。
【００２６】
別の態様によれば、ユーザ機器に関するハンドオーバ要求を第三基地局で受信して、該ユーザ機器が第一基地局から該第三基地局へハンドオーバされることであって、該ハンドオーバ要求は、該ユーザ機器がデュアルコネクティビティモードで動作していることを示す情報を備えることを含む方法、が提供される。
【００２７】
該方法は、第三基地局の装置において実行されてよい。
【００２８】
別の態様によれば、第三基地局にハンドオーバされるユーザ機器の第一基地局において、該第三基地局から少なくとも一つのメッセージを受信することであって、該少なくとも一つのメッセージは、該ユーザ機器によって作成された一つ以上の第二基地局の一つ以上のセルの測定情報を少なくとも一つ記憶することと、該記憶された測定情報を伝送することと、を該ユーザ機器に対して引き起こす情報を備えることを含む方法、が提供される。
【００２９】
該方法は、第一基地局の装置において実行されてよい。
【００３０】
別の態様によれば、少なくとも一つのメッセージを第三基地局から第一基地局へ伝送させ、ユーザ機器を該第一基地局から該第三基地局へハンドオーバさせることであって、該少なくとも一つのメッセージは、該ユーザ機器によって作成された一つ以上の第二基地局の一つ以上のセルの測定情報を少なくとも一つ記憶することと、該記憶された測定情報を伝送することと、を該ユーザ機器に対して引き起こす情報を備えることを含む方法、が提供される。
【００３１】
該方法は、第三基地局の装置において実行されてよい。
【００３２】
別の態様によれば、第三基地局においてユーザ機器から測定情報を受信して、該ユーザ機器が第一基地局から該第三基地局への該ユーザ機器のハンドオーバに応じて該情報を提供することであって、該測定情報は、該ユーザ機器によって作成された一つ以上の第二基地局の一つ以上のセルのものであることを含む方法、が提供される。
【００３３】
該ユーザ機器は、第一基地局の変更の前に、該第一基地局の少なくとも一つのセルと、少なくとも一つの第二基地局の少なくとも一つのセルと、に接続され得る。
【００３４】
該ユーザ機器は、デュアルコネクティビティモードであってよい。
【００３５】
該第一基地局は、マスタ基地局を備え得る。
【００３６】
該一つ以上の第二基地局は、一つ以上のセカンダリ基地局を備え得る。
【００３７】
該第三基地局は、新規マスタ基地局を備え得る。
【００３８】
該第一基地局はマスタ基地局を備え、該一つ以上の第二基地局は一つ以上のセカンダリ基地局を備え、該第三基地局は新規マスタ基地局を備え得る。
【００３９】
該測定情報は、基準信号受信電力、基準信号受信品質、及びチャネル品質情報のうちの一つ又は複数を備え得る。
【００４０】
該方法は、該記憶された測定情報を、無線リソース制御メッセージ、接続再設定完了メッセージ、及び無線リソース制御接続再設定完了メッセージのうちの一つにおいて、受信することを含み得る。
【００４１】
該方法は、第三基地局の装置において実行され得る。
【００４２】
ある態様によれば、ユーザ機器の第一基地局の変更に応じて、該ユーザ機器によって作成された一つ以上の第二基地局の一つ以上のセルの測定情報を記憶する手段と、該記憶された測定情報を第三基地局に提供することを引き起こす手段と、を備えるユーザ機器における装置が提供される。
【００４３】
該ユーザ機器は、第一基地局の変更の前に、該第一基地局の少なくとも一つのセルと、少なくとも一つの第二基地局の少なくとも一つのセルと、に接続され得る。
【００４４】
該ユーザ機器は、デュアルコネクティビティモードであってよい。
【００４５】
該第一基地局は、マスタ基地局を備え得る。
【００４６】
該一つ以上の第二基地局は、一つ以上のセカンダリ基地局を備え得る。
【００４７】
該第三基地局は、新規マスタ基地局を備え得る。
【００４８】
該第一基地局はマスタ基地局を備え、該一つ以上の第二基地局は一つ以上のセカンダリ基地局を備え、該第三基地局は新規マスタ基地局を備え得る。
【００４９】
該装置は、該第一基地局の変更を示す情報を受信する手段を備え得る。
【００５０】
該第一基地局の変更を示す該情報は、無線リソース制御再設定メッセージを備える。
【００５１】
該装置は、該一つ以上の第二基地局の一つ以上のセルの記憶されるべき測定情報について示す情報を受信する手段を備え得る。
【００５２】
該一つ以上の第二基地局の一つ以上のセルの記憶されるべき測定情報について示す該情報は、ハンドオーバ指令に受信され得る。
【００５３】
該測定情報は、基準信号受信電力、基準信号受信品質、及びチャネル品質情報のうちの一つ又は複数を備え得る。
【００５４】
該引き起こす手段は、該記憶された測定情報を、無線リソース制御メッセージ、接続再設定完了メッセージ、及び無線リソース制御接続再設定完了メッセージのうちの一つにおいて、該第三基地局に提供させ得る。
【００５５】
別の態様によれば、第一基地局における装置であって、ユーザ機器に関するハンドオーバ要求を、変更する該第一基地局から第三基地局へ送らせる手段を備え、該ハンドオーバ要求は該ユーザ機器がデュアルコネクティビティモードで動作していることを示す情報を備える、装置が提供される。
【００５６】
別の態様によれば、第三基地局における装置であって、ユーザ機器に関するハンドオーバ要求を受信する手段を備え、該ユーザ機器は、第一基地局から該第三基地局へハンドオーバされ、該ハンドオーバ要求は該ユーザ機器がデュアルコネクティビティモードで動作していることを示す情報を備える、装置が提供される。
【００５７】
別の態様によれば、第一基地局における装置であって、第三基地局から少なくとも一つのメッセージを受信する手段を備え、ユーザ機器は該第一基地局から該第三基地局にハンドオーバされ、該少なくとも一つのメッセージは、該ユーザ機器によって作成された一つ以上の第二基地局の一つ以上のセルの測定情報を少なくとも一つ記憶することと、該記憶された測定情報を伝送することと、を該ユーザ機器に対して引き起こす情報を備える、装置が提供される。
【００５８】
別の態様によれば、第三基地局における装置であって、第一基地局へ少なくとも一つのメッセージを伝送させる手段を備え、ユーザ機器は該第一基地局から該第三基地局にハンドオーバされ、該少なくとも一つのメッセージは、該ユーザ機器によって作成された一つ以上の第二基地局の一つ以上のセルの測定情報を少なくとも一つ記憶することと、該記憶された測定情報を伝送することと、を該ユーザ機器に対して引き起こす情報を備える、装置が提供される。
【００５９】
別の態様によれば、第三基地局における装置であって、ユーザ機器から測定情報を受信する手段を備え、該ユーザ機器が第一基地局から該第三基地局への該ユーザ機器のハンドオーバに応じて該情報を提供し、該測定情報は、該ユーザ機器によって作成された一つ以上の第二基地局の一つ以上のセルのものである、装置が提供される。
【００６０】
該ユーザ機器は、第一基地局の変更の前に、該第一基地局の少なくとも一つのセルと、少なくとも一つの第二基地局の少なくとも一つのセルと、に接続され得る。
【００６１】
該ユーザ機器は、デュアルコネクティビティモードであってよい。
【００６２】
該第一基地局は、マスタ基地局を備え得る。
【００６３】
該一つ以上の第二基地局は、一つ以上のセカンダリ基地局を備え得る。
【００６４】
該第三基地局は、新規マスタ基地局を備え得る。
【００６５】
該第一基地局はマスタ基地局を備え、該一つ以上の第二基地局は一つ以上のセカンダリ基地局を備え、該第三基地局は新規マスタ基地局を備え得る。
【００６６】
該測定情報は、基準信号受信電力、基準信号受信品質、及びチャネル品質情報のうちの一つ又は複数を備え得る。
【００６７】
記憶された測定情報は、無線リソース制御メッセージ、接続再設定完了メッセージ、及び無線リソース制御接続再設定完了メッセージのうちの一つにおいて、受信され得る。
【００６８】
別の態様によれば、ユーザ機器における装置であって、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、ユーザ機器の第一基地局の変更に応じて、該ユーザ機器によって作成された一つ以上の第二基地局の一つ以上のセルの測定情報を少なくとも記憶することを該装置に対して引き起こして、該記憶された測定情報を第三基地局に提供させるように構成されている、該装置が提供される。
【００６９】
該ユーザ機器は、第一基地局の変更の前に、該第一基地局の少なくとも一つのセルと、少なくとも一つの第二基地局の少なくとも一つのセルと、に接続され得る。
【００７０】
該ユーザ機器は、デュアルコネクティビティモードであってよい。
【００７１】
該第一基地局は、マスタ基地局を備え得る。
【００７２】
該一つ以上の第二基地局は、一つ以上のセカンダリ基地局を備え得る。
【００７３】
該第三基地局は、新規マスタ基地局を備え得る。
【００７４】
該第一基地局はマスタ基地局を備え、該一つ以上の第二基地局は一つ以上のセカンダリ基地局を備え、該第三基地局は新規マスタ基地局を備え得る。
【００７５】
該少なくとも一つのメモリ及び該コンピュータコードは、該少なくとも一つのプロセッサとともに、該第一基地局の変更を示す情報を受信するように構成され得る。
【００７６】
該第一基地局の変更を示す該情報は、無線リソース制御再設定メッセージを備える。
【００７７】
該少なくとも一つのメモリ及び該コンピュータコードは、該少なくとも一つのプロセッサとともに、該一つ以上の第二基地局の一つ以上のセルの記憶されるべき測定情報について示す情報を受信するように構成され得る。
【００７８】
該一つ以上の第二基地局の一つ以上のセルの記憶されるべき測定情報について示す該情報は、ハンドオーバ指令において受信され得る。
【００７９】
該測定情報は、基準信号受信電力、基準信号受信品質、及びチャネル品質情報のうちの一つ又は複数を備え得る。
【００８０】
該少なくとも一つのメモリ及び該コンピュータコードは、該少なくとも一つのプロセッサとともに、該記憶された測定情報を、無線リソース制御メッセージ、接続再設定完了メッセージ及び無線リソース制御接続再設定完了メッセージのうちの一つにおいて、該第三基地局に提供させるように構成され得る。
【００８１】
別の態様によれば、第一基地局における装置であって、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、ユーザ機器に関するハンドオーバ要求を、変更する該第一基地局から第三基地局へ送ることを該装置に対して少なくとも引き起こすように構成され、該ハンドオーバ要求は該ユーザ機器がデュアルコネクティビティモードで動作していることを示す情報を備える、該装置が提供される。
【００８２】
別の態様によれば、第三基地局における装置であって、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、ユーザ機器に関するハンドオーバ要求を少なくとも受信することを該装置に対して引き起こすように構成され、該ユーザ機器は、第一基地局から該第三基地局へハンドオーバされ、該ハンドオーバ要求は該ユーザ機器がデュアルコネクティビティモードで動作していることを示す情報を備える、該装置が提供される。
【００８３】
別の態様によれば、第一基地局における装置であって、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、第三基地局から少なくとも一つのメッセージを少なくとも受信することを該装置に対して引き起こすように構成され、ユーザ機器が該第一基地局から該第三基地局へハンドオーバされ、該少なくとも一つのメッセージは、該ユーザ機器によって作成された一つ以上の第二基地局の一つ以上のセルの測定情報を少なくとも一つ記憶することと、該記憶された測定情報を伝送することと、を該ユーザ機器に対して引き起こす情報を備える、該装置が提供される。
【００８４】
別の態様によれば、第三基地局における装置であって、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、少なくとも一つのメッセージを第一基地局に少なくとも伝送することを該装置に対して引き起こすように構成され、ユーザ機器が該第一基地局から該第三基地局へハンドオーバされ、該少なくとも一つのメッセージは、該ユーザ機器によって作成された一つ以上の第二基地局の一つ以上のセルの測定情報を少なくとも一つ記憶することと、該記憶された測定情報を伝送することと、を該ユーザ機器に対して引き起こす情報を備える、該装置が提供される。
【００８５】
別の態様によれば、第三基地局における装置であって、少なくとも一つのプロセッサ及び一つ以上のプログラムに関するコンピュータコードを含む少なくとも一つのメモリを備え、該少なくとも一つのメモリ及び該コンピュータコードは、該少なくとも一つのプロセッサとともに、ユーザ機器から測定情報を少なくとも受信することを該装置に対して引き起こすように構成され、該ユーザ機器が第一基地局から該第三基地局への該ユーザ機器のハンドオーバに応じて該情報を提供し、該測定情報は、該ユーザ機器によって作成された一つ以上の第二基地局の一つ以上のセルのものである、該装置が提供される。
【００８６】
該ユーザ機器は、第一基地局の変更の前に、該第一基地局の少なくとも一つのセルと、少なくとも一つの第二基地局の少なくとも一つのセルと、に接続され得る。
【００８７】
該ユーザ機器は、デュアルコネクティビティモードであってよい。
【００８８】
該第一基地局は、マスタ基地局を備え得る。
【００８９】
該一つ以上の第二基地局は、一つ以上のセカンダリ基地局を備え得る。
【００９０】
該第三基地局は、新規マスタ基地局を備え得る。
【００９１】
該第一基地局はマスタ基地局を備え、該一つ以上の第二基地局は一つ以上のセカンダリ基地局を備え、該第三基地局は新規マスタ基地局を備え得る。
【００９２】
該測定情報は、基準信号受信電力、基準信号受信品質、及びチャネル品質情報のうちの一つ又は複数を備え得る。
【００９３】
記憶された測定情報は、無線リソース制御メッセージ、接続再設定完了メッセージ、及び無線リソース制御接続再設定完了メッセージのうちの一つにおいて、受信され得る。
【００９４】
該方法を実行するように構成されるプログラムコード手段を備えるコンピュータプログラムもまた提供され得る。該コンピュータプログラムは記憶されてもよく、及び／又はキャリア媒体により別の方法で実現されてもよい。
【００９５】
上記において、多くの異なる実施形態を説明した。該に記載した実施形態のうちの任意の二つ以上の組合せによって更なる実施形態が提供され得ることを認識されたい。
【００９６】
様々な他の態様及び更なる実施形態が、また、以下の詳細な説明及び添付の特許請求の範囲において記載される。
【図面の簡単な説明】
【００９７】
ここで、以下の図に関して、いくつかの実施形態を単に例として説明することとする。
【００９８】
【図１】図１は、いくつかの実施形態に係るネットワークの概略図を示す。
【図２】図２は、いくつかの実施形態に係る移動通信デバイスの概略図を示す。
【図３】図３は、いくつかの実施形態に係る制御装置の概略図を示す。
【図４】図４は、ある実施形態に係る信号伝達図である。
【図５】図５は、デュアルコネクティビティの原理を説明する。
【発明を実施するための形態】
【００９９】
例示する実施形態の詳細を説明する前に、記載される例を基礎とする技術の理解を助ける図１〜図３を参照しながら、無線通信システム及び移動通信デバイスのある全般的な原理を簡単に説明する。
【０１００】
無線通信システムにおいて、移動通信デバイス又はユーザ機器（ＵＥ）１０２、１０３、１０５は、少なくとも一つの基地局もしくは同様の無線で送信及び／又は受信するノード又はポイントを経由する無線アクセスが提供される。基地局は、概して、その動作及び基地局と通信する移動通信デバイスの管理を可能とするように、少なくとも一つの適切な制御装置により制御される。制御装置は、基地局の一部であり得るか、及び／又は無線ネットワーク制御装置（Radio Network Controller）などである独立した実体によって提供され得る。図１には、各マクロレベル基地局１０６及び１０７を制御する制御装置１０８及び１０９を示す。基地局の制御装置は、他の制御エンティティと相互接続可能である。制御装置及び機能は、複数の制御部間に分散されてよい。いくつかのシステムにおいては、制御装置は、付加的に又は代替的に無線ネットワーク制御装置で提供されてよい。
【０１０１】
しかしながらＬＴＥシステムは、ＲＮＣを備えない、所謂「フラット」なアーキテクチャを有すると考えられ得るものであって、（ｅ）ＮＢはむしろシステムアーキテクチャエボリューションゲートウェイ（ＳＡＥ−ＧＷ）及び移動性管理エンティティ（mobility management entity）（ＭＭＥ）と通信し、そうした実体はまた複数のこれらのノードが複数の（ｅ）ＮＢ（の集合）を満たすことができるという意味を含み得る。各ＵＥは、一度に一つのみのＭＭＥ及び／又はＳ−ＧＷによって扱われ、（ｅ）ＮＢが現在の連携を把握する。ＳＡＥ−ＧＷは、ＬＴＥにおける「高レベル」のユーザプレーンコアネットワーク要素であり、Ｓ−ＧＷ及びＰ−ＧＷ（それぞれ、サービングゲートウェイ及びパケットデータネットワークゲートウェイ）から成り得る。
【０１０２】
図１に、ゲートウェイ１１２を介してより広い通信ネットワーク１１３に接続する基地局１０６及び１０７を示す。更なるゲートウェイ機能が設けられ、他のネットワークと接続し得る。これらは、マクロ基地局であり得る。
【０１０３】
より小さい基地局１１６、１１８、及び１２０もまた、例えば独立したゲートウェイ機能によって、及び／又はマクロレベルの局の制御装置を介して、ネットワーク１１３に接続され得る。例においては、局１１６及び１１８は、ゲートウェイ１１１を介して接続され、一方で局１２０は、制御装置１０８を介して接続する。いくつかの実施形態では、より小さい局は設けなくてもよい。より小さい基地局は、フェムトセル、ピコセル、マイクロセル及び／又は同種のものを提供し得る。
【０１０４】
ここで、可能性のある通信デバイスについて、通信デバイス１０２の概略的な部分断面図を示す図２を参照しながらより詳細に説明することとする。そうした通信デバイスはしばしばユーザ機器（ＵＥ）又は端末と呼ばれる。適切な通信デバイスは、無線信号を送受信可能な任意のデバイスによって提供され得る。限定しない例としては、例えば携帯電話又は「スマートフォン」として知られる移動局（ＭＳ）又は携帯デバイス、無線インタフェースカード又は他の無線インタフェース設備（例えばＵＳＢドングル）を設けたコンピュータ、又は無線通信能を設けた携帯情報端末（personal data assistant）（ＰＤＡ）又はタブレット、又はこれらの任意の組合せ又は同種のものを含む。
【０１０５】
デバイス１０２は、受信のための適切な装置を介して、エアインタフェース又は無線インタフェース２０７を通じて信号を受信でき、かつ、無線信号伝送のための適切な装置を介して信号を伝送できる。図２では、ブロック２０６によって概略的にトランシーバ装置が示される。トランシーバ装置２０６は、例えば無線部及び付随するアンテナ設備によって提供され得る。アンテナ設備は、デバイスの内部に又は外部に配置され得る。
【０１０６】
デバイスには、概して少なくとも一つのデータ処理エンティティ２０１、少なくとも一つのメモリ２０２、並びにソフトウェア及びハードウェア支援のタスクの実行に用いる他の可能性のある構成要素２０３が設けられ、アクセスシステム及び他の通信デバイスへのアクセス制御及び通信を含んだ実行をするように設計される。データ処理装置、記憶装置、及び他の関連する制御装置を、適切な回路基板上及び／又はチップセット内に設けることが可能である。この特徴は、参照符号２０４で示す。ユーザは、例えばキーパッド２０５、音声指令、接触感知スクリーン又はパッド、それらの組合せ又は同種のものである好適なユーザインタフェースによってデバイスの動作を制御できる。画面２０８、スピーカ及びマイクを設けることもまた可能である。さらに、通信デバイスは、他のデバイスへの及び／又は例えばハンズフリー機器であるそれへの外部アクセサリ接続のための適切なコネクタ（有線又は無線のいずれか）を備えてよい。
【０１０７】
無線通信システムの例としては、第三世代パートナーシッププロジェクト（３ＧＰＰ）によって標準化されるアーキテクチャがある。最新の３ＧＰＰベースの開発は、しばしば、ユニバーサル移動体通信システム（Universal Mobile Telecommunications System）（ＵＭＴＳ）無線アクセス技術の long term evolution（ＬＴＥ）と呼ばれる。様々な開発段階での３ＧＰＰの仕様は、リリースと呼ばれる。より最近開発されたＬＴＥは、しばしばＬＴＥ Advanced（ＬＴＥ−Ａ）と呼ばれる。ＬＴＥは、進化型地上無線アクセスネットワーク（Evolved Universal Terrestrial Radio Access Network）（Ｅ−ＵＴＲＡＮ）として知られるモバイルアーキテクチャを採用する。そうしたシステムの基地局は進化型（evolved）又は高性能（enhanced）Node Ｂ（ｅＮＢ）として知られる。無線アクセスシステムの他の例としては、例えば無線ローカルエリアネットワーク（ＷＬＡＮ）及び／又はＷｉＭａｘ（Worldwide Interoperability for Microwave Access）の技術に基づくシステムの基地局によって提供されるそれらを含む。
【０１０８】
図３は、制御装置３００の例を示す。この制御装置は、基地局、ＭＭＥ又はその他の好適な実体のうちの一つ又は複数において提供され得る。制御装置は、制御機能を提供するように構成可能である。この目的のために、制御装置は、少なくとも一つのメモリ３０１、少なくとも一つのデータ処理部３０２、３０３及び入力／出力インタフェース３０４を備える。インタフェースを介して、データを受信及び／又は提供するように、制御装置を接続可能である。制御装置１１４は、適切なソフトウェアコードを実施して制御機能を提供するように構成可能である。
【０１０９】
基地局は、固定の回線接続及び／又はエアインタフェースを介して互いに通信できる。
【０１１０】
図５は、ＵＥ２０がマスタｅＮＢ１０とセカンダリｅＮＢ１２とに同時に接続されるデュアルコネクティビティの例を示す。マスタｅＮＢ１０は、コアネットワークと通信する。セカンダリｅＮＢは、マスタｅＮＢ１０を経由してコアネットワークと通信するか、又はコアネットワークと直接通信してもよい。ユーザプレーンオプション１Ａに関しては、ＳｅＮＢはＭＭＥ（Ｓ１−ＭＭＥ）への接続を有することができないが、Ｓ−ＧＷ（Ｓ１−Ｕ）との接続を有する。ユーザプレーンオプション３Ｃにおいては、ＳｅＮＢはコアネットワークと直接通信しない。また、デュアルコネクティビティに関しては、マスタｅＮＢとセカンダリｅＮＢとは、インタフェース（Ｘ２）を介して通信する。
【０１１１】
いくつかの実施形態は、ＵＥのデュアルコネクティビティに関連し得る。いくつかの実施形態は、ＬＴＥのコンテキストで記述されることとなる。しかしながら、いくつかの実施形態は、ＬＴＥシステムではない他のコンテキストで用いられ得ることを認識されたい。
【０１１２】
いくつかの実施形態では、デュアルコネクティビティはｅＮＢを越えてよりフレキシブルなリソース活用を可能とし得る。デュアルコネクティビティでは、ＵＥは、マスタｅＮＢ（ＭｅＮＢ）及びセカンダリｅＮＢ（ＳｅＮＢ）の双方に同時に接続される。ＭｅＮＢとＳｅＮＢとは、例えば〜２０ｍｓの範囲の伝送遅延を伴う非理想的なバックホールリンクを介して接続され得る。いくつかの実施形態で、ＳｅＮＢが設定される場合のＭｅＮＢの移動性に取り組み得る。
【０１１３】
一つのＵＥを、ハンドオーバＨＯ手順の間、一つのＳｅＮＢと接続したままにすることが可能であることが示唆されている。しかしながら、これは、Ｘ２ベースのＨＯ手順に対する変形を必要とし得る。
【０１１４】
対応するＵＥをターゲットｅＮＢにハンドオーバする前に、デュアルコネクティビティを解放するＨＯ手順が提供され得ることが示唆されている。また、元の（ソース）ＳｅＮＢと又はその他の好適なｅＮＢとデュアルコネクティビティを設定するか否かの決定は、ターゲットｅＮＢに委ねられる。ここで、ソースＭｅＮＢは、ＨＯ手順の前にＵＥに設定されたＳｅＮＢについてのいかなる情報をもターゲットＭｅＮＢへ提供しない。したがって、ターゲットｅＮＢは、ＵＥからの測定リポートを契機とする標準化ＳｅＮＢ追加手順を用いて、元の設定されたＳｅＮＢとのデュアルコネクティビティを再確立しなければならないこととなる。ＵＥの実装によっては、ハンドオーバ後で、ＵＥが、対応する測定対象（例えば、周波数／セル）に関して設定された報告基準をあるセルが満たすということを示す測定リポートをサービングセルに送信開始する前に、いくらか時間があり得る。したがって、ＨＯ前に用いられた元の設定されたＳｅＮＢとのデュアルコネクティビティの再確立は遅延し得るため、潜在的な性能の損失を結果として招く。
【０１１５】
いくつかのシナリオでは、マクロセルエリアに対して少数であるスモールセルであっても、スモールセル及びマクロセル層が異なる周波数帯に展開されているならば、ＵＥがマクロセル及びスモールセル間でデュアルコネクティビティであるときに引き起こされているＭｅＮＢハンドオーバの確率は相対的に高いものであり得る。
【０１１６】
あるオプションでは、ハンドオーバ手順の間中、デュアルコネクティビティ構成を維持することが可能である変形したＨＯ手順を提供する。しかしながら、これらのオプションは、比較的複雑であり得るものであって、いくつかの状況での利用のために、レガシーであるＸ２ハンドオーバ手順に対して非常に多くの変更が必要となり得る。
【０１１７】
他のオプションは、ソースＭｅＮＢが、ハンドオーバ前にＵＥに設定されたＳｅＮＢについての情報をターゲット（Ｍ）ｅＮＢに提供することである。ハンドオーバのために、ソースＭｅＮＢがハンドオーバに関する決定をする。ターゲットｅＮＢが、デュアルコネクティビティ可能であり得るものでない以上、それをＭｅＮＢとすることはできない。したがって、ターゲットｅＮＢはターゲットｅＮＢがデュアルコネクティビティをサポートするかどうかを示す（Ｍ）ｅＮＢに参照され、ハンドオーバ後にデュアルコネクティビティを再開可能である場合にはターゲットｅＮＢをＭｅＮＢとすることとなる。そうでなければ、ターゲットｅＮＢは単なるｅＮＢである。
【０１１８】
ターゲット（Ｍ）ｅＮＢは、その後、ＵＥからの何らかの測定リポートを受信する前に、元の設定されたＳｅＮＢとのＳｅＮＢ追加手順を開始することができる。Ｘ２を通じたＳｅＮＢ追加手順は、ＨＯ手順完了前であっても開始され得る。これにより、ＨＯ後のデュアルコネクティビティの再確立を速めることができる。しかしながら、ターゲット（Ｍ）ｅＮＢは、対応するＳｅＮＢからのＵＥによる受信信号品質／強度を知ることなくＳｅＮＢ追加手順を開始する。受信信号品質／強度が、ＨＯ手順の間に変化する、又はソースＭｅＮＢからの情報が古いＵＥ測定リポートに基づくものであると、ＳｅＮＢ追加手順は必要以上に引き起こされ得ることとなり、ＳｅＮＢはＵＥによって利用できなくなり得る。
【０１１９】
いくつかの実施形態は、（ターゲット）（Ｍ）ｅＮＢに対して、ハンドオーバ発生後に、ＵＥと先に設定されたＳｅＮＢとの間のデュアルコネクティビティを再確立する時間を削減できる。
【０１２０】
いくつかの実施形態では、デュアルコネクティビティを設定されたＵＥがＨＯ指令を受信するとき、ＵＥは現在の測定結果を記憶し、その後、先に設定されたＳＣＧセルの少なくとも一つの測定リポート（例えばＲＳＲＰ（基準信号受信電力）及び／又はＲＳＲＱ（基準信号受信品質）とともに）を送る。ハンドオーバ指令は、移動性制御情報を含むＲＲＣ（無線リソース制御（radio resource control））再設定メッセージ（reconfiguration message）であってよい。移動性制御情報は、移動性制御情報ＩＥ（情報要素）によって提供され得る。測定リポートは、例えば、ターゲット（Ｍ）ｅＮＢへの最初のＰＵＳＣＨ（物理アップリンク共有チャネル（physical uplink shared channel））の伝送機会に送信され得る。
【０１２１】
デュアルコネクティビティが設定されるとき、ＵＥは、少なくとも一つのＳＣＧセルにおける受信信号品質及び／又は強度の測定を実行し、そうした少なくとも一つのＳＣＧセル上での最新の利用可能な測定値が、記憶されてその後ターゲット（Ｍ）ｅＮＢに伝送されるものとなり得る。
【０１２２】
ターゲット（Ｍ）ｅＮＢは、ソースｅＮＢへのＨＯ指令送信の際に、先に設定されたＳＣＧセルのうちの少なくとも一つに関して即時測定リポートを必要とするかどうかを示し得る。
【０１２３】
そうした測定リポートを受けて、（ターゲット）（Ｍ）ｅＮＢは、測定リポートによって示される、対応するＳｅＮＢとのＳｅＮＢ追加手順を開始するかどうかを決定できる。ある実施形態の信号伝達フローの例を図４に示す。信号伝達フロー図は、ＨＯ手順の一例を示しているということを認識されたい。しかしながら、他の実施形態においては、異なるＨＯ手順を用いてよい。
【０１２４】
はじめに、デュアルコネクティビティのユーザプレーンオプションにより、Ｓ−ＭｅＮＢ（ソースＭｅＮＢ）及び／又はＳ−ＳｅＮＢ（ソースＳｅＮＢ）を通して、パケットデータがＳ−ＧＷ及びＵＥ間に伝送される。これは、信号伝達フロー図上部の破線で表現される。
【０１２５】
ステップＳ１において、測定リポート（measurement report）がＵＥによって引き起こされ、Ｓ−ＭｅＮＢに送られる。
【０１２６】
ステップＳ２において、Ｓ−ＭｅＮＢが、ハンドオーバ要求メッセージ（handover request message）をＴ−ｅＮＢ（ターゲットｅＮＢ）に送る。これがハンドオーバ後にＵＥに対するサービングｅＮＢとなることとなり、ハンドオーバ後にデュアルコネクティビティが再び設定される場合には、ＵＥに対する新規ＭｅＮＢになることとなる。ハンドオーバ要求メッセージは、任意に、該ＵＥがハンドオーバ前に設定されたデュアルコネクティビティを有していたことの表示を含んでよい。ハンドオーバ要求は、サービス品質ＱｏＳ情報、ＵＥ性能情報、Ｓ−ＭｅＮＢ及び／又はＳ−ＳｅＮＢ構成情報、一つ以上のＳ−ＭｅＮＢの完全修飾エンドポイント識別子（Fully Qualified Tunnel Endpoint Identifier）（Ｆ−ＴＥＩＤ）のうち、一つ又は複数を備え得る。
【０１２７】
ステップＳ３において、Ｔ−ｅＮＢは、Ｓ−ＭｅＮＢに対してハンドオーバ要求確認メッセージ（handover request acknowledgement message）で応答する。ハンドオーバ要求確認メッセージは、任意に、例えばＵＥ宛てのＨＯ指令内に、ハンドオーバ完了後、ＵＥが測定リポートを記憶してＴ−ｅＮＢに送信すべきかどうかというものを示し得る。いくつかの実施形態では、どのセルが報告されるべきかを明らかに又は暗に示す表示を含み得る。任意に、このメッセージは、報告されるべきセルとともにそのメッセージＩＤ（message identity）を示し得る。メッセージは、Ｔ−ｅＮＢ及び／又は下りリンクＤＲＢ（データ無線ベアラ（data radio bearer））に関するＦ−ＴＥＩＤについて構成情報を含み得る。いくつかの実施形態では、あるメッセージＩＤは、ＵＥに対して暗に（例えば、仕様において特定の値となるように固定されて）又は明らかに（例えば、メッセージに構成されて）示されて、ハンドオーバ後にリポートを送る際にメッセージＩＤとして用いることができる。
【０１２８】
ステップＳ４において、Ｓ−ＭｅＮＢは、Ｓ−ＳｅＮＢに対してＳｅＮＢリリース要求メッセージ（ＳｅＮＢ Release Request message）を送る。これは、Ｓ−ＭｅＮＢ ＤＲＢに関するＦ−ＴＥＩＤを備え得る。
【０１２９】
ステップＳ５において、Ｓ−ＳｅＮＢは、Ｓ−ＭｅＮＢに対してＳｅＮＢリリース応答メッセージ（ＳｅＮＢ release response message）で応答する。このステップで、ＵＥのコンテンツは、Ｓ−ＳｅＮＢがＳｅＮＢリリース完了メッセージ（ＳｅＮＢ release complete message）を受信するまで（ステップＳ２０）、依然としてＳ−ＳｅＮＢに保持される。
【０１３０】
ステップＳ６において、Ｓ−ＭｅＮＢは、ＵＥに、Ｔ−ｅＮＢから受信したＲＲＣメッセージを送り、ハンドオーバを実行する。メッセージは、Ｓ−ＳｅＮＢ及びＳ−ＭｅＮＢが解放される一方でＴ−ｅＮＢが追加されることを示すＲＲＣ接続再設定メッセージ（ＲＲＣ connection reconfiguration message）であり得る。メッセージは、その他のＲＲＣメッセージ又はＲＲＣでないメッセージとすることが可能である。
【０１３１】
ステップＳ６ｂにおいて、ＵＥは、Ｓ−ＳｅＮＢにおいて先に設定されたセルのうちの少なくとも一つについての受信信号品質及び／又は強度の測定結果を記憶する。これは、ＰＵＣＣＨ（物理アップリンク制御チャネル（physical uplink control channel））を伴うセルとして暗に決定され得るか、又はＨＯ指令を介して明らかに示され得る。
【０１３２】
ステップＳ７からＳ１０では、ハンドオーバ中のデータ欠損を防止し得る。
【０１３３】
ステップＳ７において、Ｓ−ＳｅＮＢは、Ｓ−ＭｅＮＢに対してＳＮ（シーケンス番号）ステータス転送メッセージ（status transfer message）を送り得る。これは、Ｓ−ＳｅＮＢの、上りリンクＰＤＣＰ（パケットデータ収束プロトコル（packet data convergence protocol）） ＳＮ及びＨＦＮ（ハイパーフレーム番号（hyper frame number））受信機状態及び／又は下りリンクＰＤＣＰ ＳＮ及びＨＦＮ送信機状態を含み得る。この手順は、非分割ベアラに対してのみ発生し得る。
【０１３４】
ステップＳ８において、Ｓ−ＳｅＮＢは、Ｓ−ＭｅＮＢへのデータ転送を実行し得る。この手順は、非分割ベアラに対してのみ発生する。
【０１３５】
ステップＳ９において、Ｓ−ＭｅＮＢは、ＳＮステータス転送メッセージ（Ｓ−ＭｅＮＢの、上りリンクＰＤＣＰ ＳＮ及びＨＦＮ受信機状態及び／又は下りリンクＰＤＣＰ ＳＮ及びＨＦＮ送信機状態を含む）を送り得る。
【０１３６】
ステップＳ１０において、Ｓ−ＭｅＮＢは、Ｔ−ｅＮＢへのデータ転送を実行し得る。Ｔ−ｅＮＢは、それがＲＲＣ接続再設定完了メッセージ（ＲＲＣ connection reconfiguration complete message）を受信するまで、Ｓ−ＭｅＮＢから転送されたパケットを保持する。
【０１３７】
Ｔ−ＮＢが追加され、かつ、Ｓ−ＭｅＮＢ及びＳｅＮＢが解放されることを示すＲＲＣ接続再設定メッセージの受信後、ＵＥは、Ｔ−ｅＮＢへのランダムアクセス（ＲＡ）手順を実行し、ステップＳ１１において、Ｔ−ｅＮＢへＲＲＣ接続再設定完了メッセージを送る。
【０１３８】
ステップＳ１１ｂにおいて、ＵＥは、Ｓ−ＳｅＮＢにおいて先に設定されたセルのうちの少なくとも一つにおける受信信号品質及び／又は強度を示す測定リポートをＴ−ｅＮＢへ送る。メッセージは、暗に又は明らかにＵＥに設定されるメッセージＩＤとともに送られ得るか、又は例えばＲＲＣ接続再設定完了である既存メッセージに便乗して送られ得る。
【０１３９】
ステップＳ１２において、パケットデータが、Ｔ−ｅＮＢを通ってＳ−ＧＷ及びＵＥ間で伝送される。Ｓ−ＧＷからのＤＬパケットは、ステップＳ１４においてＭＭＥからの修正ベアラ要求メッセージ（modify bearer request message）をＳ−ＧＷが受信後に、Ｔ−ｅＮＢを通ってＵＥへ届くこととなる。
【０１４０】
Ｔ−ｅＮＢは、ステップＳ１３において、経路切替要求メッセージ（path switch request message）をＭＭＥに送り、ＵＥがＳｅＮＢを変更したことを通知する。このメッセージは、Ｓ−ＧＷでのＴ−ｅＮＢ ＤＬ Ｆ−ＴＥＩＤを含み得る。
【０１４１】
ステップＳ１４において、ＭＭＥは、修正ベアラ要求のＳ−ＧＷへのメッセージを送る。このメッセージは、Ｓ−ＧＷでのＴ−ＳｅＮＢ ＤＬ Ｆ−ＴＥＩＤを含み得る。
【０１４２】
ステップＳ１５において、Ｓ−ＧＷは、Ｓ−ＭｅＮＢによって先に供される下りリンクデータ経路をターゲット側へ切り替える。Ｓ−ＧＷは、古い経路上の一つ以上の「エンドマーカ」パケットをＳ−ＭｅＮＢに送り得るものであり、その後Ｓ−ＭｅＮＢへのあらゆるＵ-plane／ＴＮＬ（トンネル）リソースを解放することができる。Ｓ−ＧＷからのＤＬパケットは、Ｔ−ｅＮＢを介してＵＥへ送られる。
【０１４３】
ステップＳ１６において、Ｓ−ＧＷは、Ｓ−ＳｅＮＢによって先に供される下りリンクデータ経路をターゲット側へ切り替える。Ｓ−ＧＷは、古い経路上の一つ以上のエンドマーカパケットをＳ−ＳｅＮＢに送り得るものであり、その後Ｓ−ＳｅＮＢへのあらゆるＵ-plane／ＴＮＬリソースを解放することができる。この手順は、非分割ベアラに対してのみ発生し得る。
【０１４４】
ステップＳ１７において、Ｓ−ＧＷは、ＭＭＥに対して、修正ベアラ応答メッセージ（modify bearer response message）を送る。
【０１４５】
ステップＳ１８において、ＭＭＥは、経路切替要求確認メッセージ（path switch request acknowledge message）とともに経路切替要求メッセージ（path switch request message）を確認する。
【０１４６】
ステップＳ１９においてＵＥコンテキストリリースメッセージ（ＵＥ Context Release message）を送ることによって、Ｔ−ｅＮＢは、Ｓ−ＭｅＮＢに対してハンドオーバの成功を通知し、Ｓ−ＭｅＮＢ及びＳ−ＳｅＮＢによるリソースの解放を引き起こす。
【０１４７】
ステップＳ２０において、Ｓ−ＭｅＮＢは、Ｓ−ＳｅＮＢに対してＳｅＮＢリリース完了メッセージを送り、Ｓ−ＳｅＮＢにおけるＵＥに対する無線リソースを解放する。
【０１４８】
Ｔ−ｅＮＢが、ステップＳ６ｂにおいてＵＥからの測定リポートを受信直後に、ＳｅＮＢ追加手順を開始可能であるか否か、又は経路切替手順（ステップＳ１３からＳ１８まで）を待機しなければならないかは、ｅＮＢの実装に固有であり得るか、及び／又はデュアルコネクティビティのユーザプレーンオプションに依存し得ることを認識されたい。
【０１４９】
いくつかの実施形態では、ステップＳ６ｂにおいてＵＥによって記憶され、かつ、ステップＳ１１ｂにおいてＴ−ｅＮＢに伝送されたＳ−ＳｅＮＢにおいて先に設定されたセルのうちの少なくとも一つにおける受信信号品質及び／又は強度の測定値は、ＲＳＲＱ及び／又はＲＳＲＰである。
【０１５０】
いくつかの実施形態では、ステップＳ６ｂにおいてＵＥによって記憶され、かつ、ステップＳ１１ｂにおいてＴ−ｅＮＢに伝送されたＳ−ＳｅＮＢにおいて先に設定されたセルのうちの少なくとも一つにおける受信信号品質の測定値は、代替の又は付加的なチャネル品質情報（ＣＱＩ）である。
【０１５１】
いくつかの実施形態では、ＵＥは測定要求によって継続的にセルを監視しているため、ＵＥは、ステップＳ１１ｂにおいて対応する測定リポートをターゲットｅＮＢに報告する前に、ステップＳ６ｂにおいて記憶された測定結果の更新を継続できることにより（実行される無線測定に基づいて）、報告された測定結果は、最新の利用可能な測定結果に相当し得る。
【０１５２】
受信信号品質及び／又は強度の測定結果がステップＳ６ｂにおいてＵＥによって記憶され、かつ、ステップＳ１１ｂにおいてＴ−ｅＮＢに伝送されるものである、Ｓ−ＳｅＮＢに先に設定されるセルのうちの少なくとも一つは、ＰＵＣＣＨを伴うセルであり得る。ＰＵＣＣＨを伴うセルは、いくつかの標準において決して非アクティブ化しないものであり得る。
【０１５３】
いくつかの実施形態では、測定リポートは、ステップＳ１１においてＲＲＣ再設定完了メッセージとともにＴ−ｅＮＢへ同時に伝送され得る（例えば、同じＬＴＥサブフレーム内で）。
【０１５４】
いくつかの実施形態では、ＵＥは実際の測定結果の代わりに、ステップＳ１１ｂにおいて利用可能な測定リポートの表示を送り得る。ｅＮＢはその後、表示の受信後、ＵＥからの測定値を要求することが可能である。
【０１５５】
いくつかの実施形態は、特に、デュアルコネクティビティのユーザプレーンオプション３Ｃ（ベアラ分割）の場合に、ＨＯ後に再確立するよりも速いデュアルコネクティビティを許可し得る。
【０１５６】
例えば、動作及び／又は他の制御動作に基づいて地理的な境界を決定するために、適切に構成されたコンピュータプログラムコード製品又は複数の製品が、適切なデータ処理装置にロードされる場合に、実施形態を実施するために用いられてよい。動作を提供するためのプログラムコード製品が、適切なキャリア媒体上に記憶され、適切なキャリア媒体によって提供及び実現され得る。適切なコンピュータプログラムは、コンピュータ読み取り可能な記録媒体上で実現可能である。可能性としては、データネットワークを介してプログラムコード製品をダウンロードすることである。概して、ハードウェアや専用回路、ソフトウェア、論理又は任意のそれらの組合せにおいて、様々な実施形態が実施され得る。そのため本発明の実施形態は、例えば集積回路モジュールなどである様々な構成要素において実施され得る。集積回路の設計は、全体的に、高度に自動化された処理である。論理レベルの設計を半導体基板上にエッチング及び形成される状態である半導体回路設計に変換するために、複雑かつ有効であるソフトウェアツールが利用可能である。
【０１５７】
本明細書においては、上記で発明の好ましい実施形態について説明したが、本発明の範囲から逸脱することなく、開示した解決法をなし得る多様な変形及び修正があることにもまた留意されたい。
【図１】
0006442038.tif 000002
【図２】
0006442038.tif 000003
【図３】
0006442038.tif 000004
【図４】
0006442038.tif 000005
【図５】
0006442038.tif 000006